(57)【要約】      （修正有）【課題】長い期間、人間又は動物の被験者によって連続的かつ快適に着用される生理学的モニタリング装置を提供する。【解決手段】生理学的モニタリング装置１００は、防水性で剛性のあるハウジング１１５と結び付けられた可撓体１１０を含む。可撓体は２つのウィング１３０，１３１と、２つの柔軟な電極トレース３１１，３１２とを含み、各ウィング剛性のあるハウジングから横に延在し、２つの柔軟な電極トレースの各々は、各ウィングに埋め込まれている。各電極トレースは可撓体の底面において柔軟な電極に連結される。モニタリング装置が取り付けられる患者からの心臓リズム信号を感知するように電極は構成される。【選択図】図１Ａ
2020058819.tif 000002
【特許請求の範囲】
【請求項１】
哺乳動物における生理学的信号をモニターする電子装置であって、
剛性のあるハウジングから横に延在する少なくとも２つの柔軟なウィングと、ここで、柔軟なウィングは、哺乳動物の表面に従うことを可能にする第１の材料一式を備え、剛性のあるハウジングは、第２の材料一式を備える、
剛性のあるハウジング内に収容されたプリント回路基板組立体と、ここで、剛性のあるハウジングは、哺乳動物の動きに応じたプリント回路基板の変形を防ぐように構成される、
柔軟なウィング内に埋め込まれた少なくとも２つの電極と、ここで、電極は、哺乳動物の表面と等角接触を提供し、かつ哺乳動物の生理学的信号を検出するように構成される、
ウィング内に埋め込まれ、かつ剛性のあるハウジングから機械的にデカップルされた少なくとも２つの電極トレースと、ここで、電極トレースは、哺乳動物の表面と等角接触を提供し、かつ電極からプリント回路基板組立体へ電気信号を伝送するように構成される、
剛性のあるハウジングにウィングを接続する少なくとも１つの蝶番部と、ここで、蝶番部は、剛性のあるハウジングに接合されるエリアで自由に曲がるように構成される、
を備えた電子装置。
【請求項２】
各ウィングは、接着剤を備える、請求項１に記載の電子装置。
【請求項３】
電極は、接着剤と同じ平面に存在する、請求項２に記載の電子装置。
【請求項４】
各ウィングは、少なくとも１つのリムを備え、このリムは、各ウィングの隣接部分よりも薄い、請求項１に記載の電子装置。
【請求項５】
剛性のあるハウジングは、さらに、当該ハウジングと哺乳動物の表面との間に気流を可能にするように構成したくぼみを備える、請求項１に記載の電子装置。
【請求項６】
リムは、哺乳動物の表面からウィングの一部の外れを防止するように構成される、請求項１に記載の電子装置。
【請求項７】
少なくとも１つの軸における動き信号を検出するように構成された測定器をさらに備える、請求項１に記載の電子装置。
【請求項８】
測定器は加速度計である、請求項７に記載の電子装置。
【請求項９】
測定器は、３軸の動き信号を検出するように構成される、請求項７に記載の電子装置。
【請求項１０】
動き信号は、生理学的信号に合わせて集められる、請求項１に記載の電子装置。
【請求項１１】
生理学的信号と動き信号とが一致した状態においてモーションアーチファクトが見極められる、請求項１０に記載の電子装置。
【請求項１２】
プリント回路基板組立体に連結された事象トリガーをさらに備える、請求項１に記載の電子装置。
【請求項１３】
事象トリガー入力部は、トリガーを作動させた状態においてプリント回路基板への機械的ストレスを防止するように剛性のあるハウジングによって支持される、請求項１２に記載の電子装置。
【請求項１４】
事象トリガーは、事象トリガーが容易に設けられる凹面であり、人間の指よりも大きい、請求項１２に記載の電子装置。
【請求項１５】
電極トレースは、哺乳動物の動きの間の信号ひずみを最小化するように構成される、請求項１に記載の電子装置。
【請求項１６】
剛性のあるハウジングへのシール可能な取付具用の手段としてガスケットをさらに備える、請求項１に記載の電子装置。
【請求項１７】
哺乳動物における生理学的信号をモニターする方法であって、
哺乳動物に電子装置を取り付けること、ここで、電子装置は、
哺乳動物からの生理学的信号を検出するように構成された少なくとも２つの電極と、
２次信号を検出するように構成された少なくとも１つの測定器と、
電極及び剛性のあるハウジングに接続された少なくとも２つの電極トレースと、
を備え、
アーチファクトを見分けるため、生理学的信号と２次信号とを比較すること、
を備えたモニター方法。
【請求項１８】
アーチファクトの識別は、生理学的信号の周波数スペクトルと２次信号の周波数スペクトルとの間の比較を備える、請求項１７に記載の方法。
【請求項１９】
２次信号は、動き信号を備える、請求項１７に記載の方法。
【請求項２０】
２次信号は、哺乳動物の活動及び位置を導き出すのに使用される、請求項１７に記載の方法。
【請求項２１】
２次信号は、３軸において集められる、請求項１７に記載の方法。
【請求項２２】
３次信号をさらに備える、請求項１７に記載の方法。
【請求項２３】
２次信号は、電子装置と哺乳動物との間の接続に関する情報を備える、請求項１７に記載の方法。
【請求項２４】
哺乳動物が眠っているときを検出するために２次信号を使用することをさらに備える、請求項１７に記載の方法。
【請求項２５】
モジュール式生理学的モニタリング装置の部分を除去し交換する方法であって、
７日を超える期間、哺乳動物へ請求項１の装置を貼付し生理学的データを集めること、
第１の生理学的信号一式を検出するために請求項１の装置を使用すること、
哺乳動物の表面から請求項１の装置を除去すること、
請求項１の装置から第１部品を除去すること、
第２生理学的モニタリング装置へ第１部品を組み込むこと、ここで第２生理学的モニタリング装置は、第２の生理学的信号一式を検出するように構成される、
を備えた方法。
【請求項２６】
第１部品は、永久的接続の使用なしに他の装置部品に電気的に接続される、請求項２５に記載の方法。
【請求項２７】
装置は、さらにバネ接続を備える、請求項２６に記載の方法。
【請求項２８】
第１部品は、損傷を防ぐために剛性のあるハウジングによって２回目の使用のために保存される、請求項２５に記載の方法。
【請求項２９】
一旦第１部品が除去されたならば、第１部品は、第２部品を再固定可能な機構によって請求項１の装置内に固定される、請求項２５に記載の方法。
【発明の詳細な説明】
【技術分野】
【０００１】
関連出願への相互参照：
この出願は、２０１３年１月２４日に出願された、発明の名称PHYSIOLOGICAL MONITORING DEVICEの米国仮出願Ｎｏ．６１／７５６，３２６号の利益を請求する。この出願の内容は、その全体があたかも完全にここに述べられるかのように、参考としてここに組み込まれる。先の出願への優先権の利益は、制限されることなく３５ Ｕ．Ｓ．Ｃ．§１１９（ｅ）を含み、適切な法的根拠の下で請求される。
【０００２】
発明の分野
この発明は、一般的には医療機器に関する。より具体的には、この発明は生理学的モニタリング装置及びその使用方法に関する。
【背景技術】
【０００３】
異常な心臓リズムあるいは不整脈は、意識喪失、動悸、めまい、あるいは死などのような種々の症状を引き起こすかもしれない。そのような症状を引き起こす不整脈は、しばしば重要な潜在的な心臓病の指標である。ペースメーカーの植え込み、あるいは経皮的カテーテル・アブレーションのような様々な手順を有する治療がこれらの問題をうまく改善することができ、著しい症状及び死を防ぐことができることから、異常な心臓リズムによりそのような症状がいつ存在するかを見極めることは重要である。
【０００４】
上に挙げた症状は、しばしばそれほど重大でない他の原因のために存在する場合もあることから、重要な挑戦は、不整脈のためにそれらの症状のいずれもがいつ存在するかを決定することである。しばしば不整脈は希に及び／又は偶発的に生じ、迅速で信頼できる診断を困難にする。現在、心リズムモニタリングは、主に、胸に貼付された電極を短期間（＜１日）使用するホルターモニターのような装置の使用によって主になされる。通常、ベルトに着用される記録装置にケーブルで電極が接続される。電極は毎日の取り換えを必要とする。そして、ケーブルは邪魔である。この装置は、またメモリ及び記録時間が限られている。この装置の着用は、患者の動きを邪魔し、しばしばモニターしながらの、入浴のような、ある活動を行うことを不可能にする。これらの制限のすべては、装置の診断上の有用性、装置を使用する患者の応諾、及びすべての重要な情報を捕らえる可能性をひどく妨げる。応諾のないこと及び装置の欠点は、しばしば、正確な診断をするために追加の装置の必要性、継続のモニタリングあるいは他の検査につながる。
【０００５】
ホルターモニター及び心臓の事象記録器のような心リズムモニタリング装置の使用を含み、不整脈の発生と症状とを関連させる現在の方法は、正確な診断がなされることを可能にするには十分ではない。実際、ホルターモニターは、時間の９０％まで診断につながらないことを示している（”Assessment of the Diagnostic Value of 24-Hour Ambulatory Electrocariographic Monitoring”、DE Ward等、著、Biotelemetry Patient Monitoring  第７巻、１９８０年発行）。
【０００６】
さらに、心リズムモニタリング装置を実際に適用してモニタリングを始める治療工程は、典型的に非常に複雑である。そのようなモニタリング装置からのデータを整理し、追跡し、モニタリングし、回収し、分析することを含む、通常、多数のステップが存在する。ほとんどの場合、今日使用される心臓モニタリング装置は、患者のプライマリケア医（ＰＣＰ）よりもむしろ、心臓病専門医あるいは心臓電気生理検査士（ＥＰ）によってオーダーされる。これは、ＰＣＰが多くの場合、患者に会い患者の症状が不整脈によるかもしれないことを決定する最初の内科医であることから、重要である。患者がＰＣＰに診てもらった後、ＰＣＰは患者が心臓病専門医又はＥＰに会うための予約をするだろう。この予約は、通常、ＰＣＰへの最初の訪問から数週間であり、これは、不整脈の事象が生じ診断ができなくなる可能性を増加させるとともに、それ自体で診断の可能性の遅れに結びつく。最終的に患者が心臓病専門医あるいはＥＰに会うときに、心リズムモニタリング装置は通常オーダーされるだろう。モニタリング期間は、２４−４８時間（ホルターモニター）あるいは１か月まで（心臓事象モニターあるいは携帯遠隔測定装置）続くことがある。一旦モニタリングが完了したならば、患者は典型的にはクリニックに装置を返さなければならず、それ自体が不便になりえる。データがモニタリング会社、あるいは病院もしくはオフィスの現場における技術者によって処理された後、分析用の報告書が最終的に心臓病専門医あるいはＥＰへ送られるだろう。この複雑な処理は、理想的な心リズムモニタリングを受け取るであろう患者よりもより少数の患者が心リズムモニタリングを受け取ることに帰着する。
【発明の概要】
【０００７】
心臓モニタリングによるそれらの幾つかの問題に取り組むために、本出願の譲受人は、小さく、長期的で、着用可能な、生理学的モニタリング装置の様々な実施形態を開発した。その装置の１つの実施形態は、Ｚｉｏ（登録商標）パッチ（www.irhythmtech.com）である。また、種々の実施形態が、例えば米国特許８，１５０，５０２、８，１６０，６８２、８，２４４，３３５、８，５６０，０４６、及び８，５３８，５０３に記述されており、これらのすべての開示は、参考としてここに組み込まれる。一般的に、上述の参考文献に記載された生理学的モニターは、患者の胸に快適に取り付けられ、少なくとも１週間、典型的には２から３週間、着用するように設計されている。このモニターは、装置が着用されながら心リズム信号データを連続的に検出し記録し、よってこの心リズムデータは、処理及び分析に利用可能である。
【０００８】
これらのより小さく、長期的な生理学的モニタリング装置は、従来技術の装置を超える多くの利点を提供した。同時に、さらなる改善が望まれる。改善のための最も意味のある領域の１つは、記録されたＥＣＧ信号の忠実度を増加させることの周囲に存在する。これは、信号における異常が不整脈あるいは信号アーチファクトによるものか否かを明らかにするためにＥＣＧの第２ベクターが利用できない単一チャンネルの実施形態に関して特に重要である。モーションアーチファクトの低減と共に信号ノイズ比の増加は、記録されたＥＣＧ信号のアルゴリズム及び人間の分析の両方における効率を改善する。
【０００９】
信号品質は着用の期間中重要であるが、しかし症状的な臨床的意義の領域を示す、患者が記録をマークするところが特に重要である。記録をマークすることは、装置の外表面に位置するトリガーによって最も簡単に可能になる。しかしながらトリガーは、電極を統合した皮膚接触プラットホームの一部であることから、患者は、トリガーを探るとき、かなりのモーションアーチファクトをもたらすことがある。望ましい装置改善は、最小のモーションアーチファクトの追加で作動可能な症状トリガーであろう。
【００１０】
第２に、患者応諾及び装置付着性能は、ＥＣＧ記録の持続期間、よって診断効率を管理する２つの要因である。応諾は、患者の着用経験を改善することにより増すことができ、これは着用の快適さ、装置の外観、及び装置が普通の日常生活動作を妨害する範囲によって影響を受ける。より長いＥＣＧ記録がより良い診断効率及びよって価値を提供するならば、装置付着及び患者応諾の改善は望ましい。
【００１１】
最後に、工程における反復性により、より高い品質と共に製造でのスケーラビリティを可能にするので、製造するのに装置が簡単でコスト効率のよいことが望ましい。製造の単純さは、また、分解の容易さにつながることができ、これは別の装置における品質コントロールされた再使用のためのプリント回路基板の効率的な回収を可能にする。この高価な部品の効率的な再使用は、診断モニターのコストを減少させるために重要である。少なくとも幾つかの目的は、以下に述べる実施形態によって紹介されるだろう。
【００１２】
概要
ここに記述された実施形態は、少なくとも１週間もしくはより多く、及びより典型的には２から３週間もしくはより多くの間、人間又は動物の被験者によって連続的かつ快適に着用されてもよい生理学的モニタリング装置に関する。１つの実施形態において、この装置は、心リズム（すなわち、心電図、ＥＣＧ）データを感知し記録するように特に設計されており、別の種々の実施形態では、一もしくは複数の追加の生理学的パラメーターが感知され記録されてもよい。生理学的モニタリング装置は、患者の体験を容易にし及び／又は増強するための、不整脈の診断をより正確にするための、及び、装置の製造をより簡単かつコスト効率良くするための、多くの特徴を含む。
【００１３】
いくつかの実施形態では、哺乳動物における生理学的信号をモニターするための電子装置は、
剛性のあるハウジングから横に延在する少なくとも２つの柔軟なウィングと、ここでこのウィングは、哺乳動物の表面に従うことを可能にする第１の材料一式を備え、剛性のあるハウジングは第２の材料一式を備え、
剛性のあるハウジング内に収容されたプリント回路基板組立体と、ここで剛性のあるハウジングは哺乳動物の動きに応じたプリント回路基板の変形を防ぐように構成され、
柔軟なウィング内に埋め込まれた少なくとも２つの電極と、ここでこの電極は、哺乳動物の表面と等角接触を提供し、かつ哺乳動物の生理学的信号を検出するように構成され、
ウィング内に埋め込まれ、かつ剛性のあるハウジングから機械的に切り離された少なくとも２つの電極トレースと、ここでこの電極トレースは、哺乳動物の表面との等角接触を提供し、かつ電極からプリント回路基板組立体に電気信号を伝送するように構成され、
剛性のあるハウジングにウィングを接続する少なくとも１つの蝶番部と、ここでこの蝶番部は、剛性のあるハウジングに接合されるエリアで自由に曲がるように構成される、
を備える。
【００１４】
ある実施形態では、各ウィングは接着剤を備えてもよい。実施形態において、電極は、接着剤と同じ平面に存在することができる。ある実施形態では、各ウィングは、少なくとも１つのリムを備え、ここでリムは、各ウィングの隣接部分よりも薄い。剛性のあるハウジングは、剛性のあるハウジングと哺乳動物の表面との間に気流を可能にするように構成されたくぼみをさらに備えてもよい。ある実施形態では、リムは、哺乳動物の表面からのウィングの一部が外れるのを防ぐように構成される。いくつかの実施形態では、生理学的システムをモニターするための電子装置は、少なくとも１つの軸における動き信号を検出するように構成された測定器を備えてもよい。この測定器は、３軸における動き信号を検出するように構成することができる加速度計でもよい。
【００１５】
実施形態において、動き信号は、生理学的信号に合わせて集めることができる。ある実施形態では、生理学的信号と動き信号とが一致するとき、モーションアーチファクトが見分けられる。さらに実施形態は、プリント回路基板組立体に連結された事象（event）トリガーを必要としてもよい。いくつかの実施形態では、事象トリガー入力部は、トリガーが作動されるときに、プリント回路基板への機械的ストレスを防ぐように剛性のあるハウジングによって支持される。事象トリガーは、容易に設けられるように、凹面で人間の指よりも大きくてもよい。ある実施形態では、電極トレースは、哺乳動物の移動中の信号ひずみを最小化するように構成される。特別な実施形態では、剛性のあるハウジングへの密封取付具用の手段としてガスケットが使用されてもよい。
【００１６】
ある実施形態において、哺乳動物における生理学的信号をモニターする方法は、
哺乳動物に電子装置を取り付けること、ここで装置は、
哺乳動物から生理学的信号を検出するように構成された少なくとも２つの電極と、
２次信号を検出するように構成された少なくとも１つの測定器と、
電極及び剛性のあるハウジングに接続される少なくとも２つの電極トレースと、
を備え、
アーチファクトを見分けるため、生理学的信号と２次信号とを比較すること、
を備えてもよい。
【００１７】
ある実施形態において、アーチファクトの識別は、生理学的信号の周波数スペクトルと２次信号の周波数スペクトルとの間の比較を備える。実施形態では、２次信号は、哺乳動物の活動及び位置を得るために使用されてもよい動き信号を備える。ある実施形態では、２次信号は３軸において集められる。いくつかの実施形態では、また３次信号も集められてもよい。ある実施形態では、２次信号は、電子装置と哺乳動物との間の接続に関する情報を備える。いくつかの実施形態では、２次信号は、哺乳動物が寝ているときを検出するために使用されてもよい。
【００１８】
いくつかの実施形態において、モジュール式の生理学的モニタリング装置の部分を除去し交換する方法は、
７日を超える期間、哺乳動物へ請求項１の装置を適用して生理学的データを集めること、
第１の一連の生理学的信号を検出するために請求項１の装置を使用すること、
哺乳動物の表面から請求項１の装置を除去すること、
請求項１の装置から第１部品を除去すること、
第２生理学的モニタリング装置へ第１部品を組み込むこと、ここで第２生理学的モニタリング装置は、第２の一連の生理学的信号を検出するように構成される、
を備えてもよい。
【００１９】
いくつかの実施形態において、第１部品は、永久的な接続を使用することなく他の装置部品に電気的に接続される。いくつかの実施形態では、装置は、さらにバネ接続を備えてもよい。ある実施形態では、第１部品は、損傷を防ぐために剛性のあるハウジングによって２回目の使用のために取っておかれてもよい。特別な実施形態では、第１部品は、一旦第１部品が除去されたならば、第２部品を再固定可能な機構によって装置内に固定される。
【００２０】
この発明のこれら及び他の態様並びに実施形態は、図面を参照してより詳細に以下に説明される。
【図面の簡単な説明】
【００２１】
【図１Ａ】図１Ａ及び図１Ｂは、１つの実施形態による生理学的モニタリング装置の斜視図及び分解斜視図である。
【図１Ｂ】図１Ａ及び図１Ｂは、１つの実施形態による生理学的モニタリング装置の斜視図及び分解斜視図である。
【図２Ａ】図２Ａ及び図２Ｂは、生理学的モニタリング装置のプリント回路基板組立体の上面及び底面の斜視図である。
【図２Ｂ】図２Ａ及び図２Ｂは、生理学的モニタリング装置のプリント回路基板組立体の上面及び底面の斜視図である。
【図３Ａ】図３Ａから図３Ｅは、生理学的モニタリング装置の可撓体及びガスケットの斜視図及び分解図である。
【図３Ｂ】図３Ａから図３Ｅは、生理学的モニタリング装置の可撓体及びガスケットの斜視図及び分解図である。
【図３Ｃ】図３Ａから図３Ｅは、生理学的モニタリング装置の可撓体及びガスケットの斜視図及び分解図である。
【図３Ｄ】図３Ａから図３Ｅは、生理学的モニタリング装置の可撓体及びガスケットの斜視図及び分解図である。
【図３Ｅ】図３Ａから図３Ｅは、生理学的モニタリング装置の可撓体及びガスケットの斜視図及び分解図である。
【図４】図４は、生理学的モニタリング装置の剛性のあるハウジングの分解図である。
【図５Ａ】図５Ａから図５Ｂは、生理学的モニタリング装置のバッテリーホルダーの斜視図である。
【図５Ｂ】図５Ａから図５Ｂは、生理学的モニタリング装置のバッテリーホルダーの斜視図である。
【図６Ａ】図６Ａ及び図６Ｂは、生理学的モニタリング装置の横断面図である。
【図６Ｂ】図６Ａ及び図６Ｂは、生理学的モニタリング装置の横断面図である。
【図７】図７は、１つの実施形態による、多くの任意アイテムを含む生理学的モニタリング装置の分解図である。
【図８Ａ】図８Ａ及び図８Ｂは、体の動き及び位置に従うために装置がどのようにして曲がるかを示しながら、生理学的モニタリング装置を着用している２人の斜視図である。
【図８Ｂ】図８Ａ及び図８Ｂは、体の動き及び位置に従うために装置がどのようにして曲がるかを示しながら、生理学的モニタリング装置を着用している２人の斜視図である。
【図９Ａ】図９Ａから図９Ｆは、１つの実施形態による、患者の体に生理学的モニターを適用する種々のステップを示す。
【図９Ｂ】図９Ａから図９Ｆは、１つの実施形態による、患者の体に生理学的モニターを適用する種々のステップを示す。
【図９Ｃ】図９Ａから図９Ｆは、１つの実施形態による、患者の体に生理学的モニターを適用する種々のステップを示す。
【図９Ｄ】図９Ａから図９Ｆは、１つの実施形態による、患者の体に生理学的モニターを適用する種々のステップを示す。
【図９Ｅ】図９Ａから図９Ｆは、１つの実施形態による、患者の体に生理学的モニターを適用する種々のステップを示す。
【図９Ｆ】図９Ａから図９Ｆは、１つの実施形態による、患者の体に生理学的モニターを適用する種々のステップを示す。
【発明を実施するための形態】
【００２２】
詳細な説明
以下の記載は多くの様々な実施形態に関する。しかしながら、記述された実施形態は、この発明の権利範囲から外れることなく多くの異なる方法において実施され及び／又は変更されてもよい。例えば、記述された実施形態は、多くの生理学的パラメーターのいずれをもモニターする、いかなる適切な装置、器具、あるいはシステムにおいて実施されてもよい。例えば、以下の論議は、主として長期で、パッチに基づいた心リズムモニタリング装置に着目する。１つの代わりの実施形態では、生理学的モニタリング装置は、例えば、パルスオキシメトリ、及び閉塞型睡眠時無呼吸の診断に使用されてもよい。種々の代わりの実施形態では、生理学的モニターの１つのサイズは、成人患者用に使用されてもよく、別のサイズは小児科の患者用に使用されてもよい。生理学的モニタリング装置の使用方法は、また変化するかもしれない。幾つかの場合では、装置は１週以下の間、着用されるかもしれない。一方、他の場合では、装置は少なくとも７日間、及び／又は７日を超える間、例えば１４日と２１日との間、あるいはさらに長い間、着用されるかもしれない。他の多くの代わりの実施形態、及び記述した技術の適用が可能である。よって、以下の記述は、例示の目的だけのために提供される。明細書全体を通して、用語「等角(conformal)」に言及がなされるかもしれない。これは、本明細書で使用される「等角」は、第１面あるいは構造が第２面あるいは構造の輪郭に十分に適合するところの面間あるいは構造間の関係を言うものと当業者によって理解されるだろう。
【００２３】
図１Ａ及び図１Ｂを参照して、生理学的モニタリング装置１００の１つの実施形態の斜視図及び分解図が提供される。図１Ａに示されるように、生理学的モニタリング装置１００は、防水性で剛性のあるハウジング１１５と結び付けられた可撓体１１０を含んでもよい。可撓体１１０（これは「フレキシブル基板」あるいは「フレキシブル構成体」と呼ばれるかもしれない）は、典型的には２つのウィング１３０，１３１と、２つの柔軟な電極トレース３１１，３１２とを含み、ウィング１３０，１３１は、剛性のあるハウジング１１５から横に延在し、２つの柔軟な電極トレース３１１，３１２の各々は、ウィング１３０，１３１の１つに埋め込まれている。各電極トレース３１１，３１２は、可撓体１１０の底面において柔軟な電極（図１Ａでは見えない）に連結される。電極は、モニタリング装置１００が取り付けられる患者からの心臓リズム信号を感知するように構成される。よって電極トレース３１１，３１２は、剛性のあるハウジング１１５に収容された電子機器（図１Ａにおいて見えない）にそれらの信号を伝送する。剛性のあるハウジング１１５は、また典型的には一もしくは複数のバッテリーのような電源を含んでいる。
【００２４】
さらに詳細に以下に説明されるように、柔軟な電極及び電極トレース３１１，３１２を含む、非常に柔軟な可撓体１１０と、非常に剛性のあるハウジング１１５との組み合わせは、多くの利点を提供するかもしれない。例えば、可撓体１１０は、外されずに１４日以上の間、患者による装置１００の快適な着用を容易にする構成及び様々な特徴を含む。剛性のあるハウジング１１５、これらは典型的にはここに記述された実施形態では患者に付着しない、は、装置１００の快適さにつながる特徴を含む。剛性のあるハウジング１１５は、またハウジング１２０に含まれる電子機器及び電源を保護し、心臓の事象に関する入力を供給する患者の能力を増し、ハウジング１１５の内容物の少なくともいくつかの簡単な製造及び再使用性を可能にする。生理学的モニタリング装置１００のこれら及び他の特徴は、より詳しく以下に記述される。
【００２５】
図１Ｂを参照して、生理学的モニタリング装置１００の部分的な分解図は、ハウジング１１５内に含まれハウジング１１５を構成する部品部分をより詳細に図示する。この実施形態では、剛性のあるハウジング１１５は、上部ハウジング部材１４０を含み、これは下部ハウジング部材１４５と着脱可能に連結される。上部ハウジング部材１４０と下部ハウジング部材１４５との間に挟まれたものは、上部ガスケット３７０、及び下部ガスケット３６０（図１Ｂでは見えないが、上部ガスケット３７０のすぐ下）である。ガスケット３７０，３６０は、組み立てられたとき、剛性のあるハウジング部材１１５を防水にするのに役立つ。モニタリング装置１００の多くの部品は、上部ハウジング部材１４０と下部ハウジング部材１４５との間に収容されるかもしれない。例えば、１つの実施形態において、ハウジング１１５は、可撓体１１０の一部、プリント回路基板組立体（ＰＣＢＡ）１２０、バッテリーホルダー１５０、及び２つのバッテリー１６０を含んでもよい。プリント回路基板組立体１２０は、電極トレース３１１，３１２及びバッテリー１６０を接続するようにハウジング１１５内に位置決めされる。様々な実施形態において、一もしくは複数の追加の部品が剛性のあるハウジング１１５の内側に含まれているか、あるいはハウジング１１５に取り付けられてもよい。これらの任意の部品のいくつかは、さらなる図を参照して、さらに以下に記述される。
【００２６】
様々な代わりの実施形態によれば、バッテリーホルダー１５０は、２つのバッテリー（図示した実施形態におけるように）、１つのバッテリー、あるいは２つを超えるバッテリーを保持してもよい。他の代わりの実施形態では、他の電源が使用されてもよい。示された実施形態では、バッテリーホルダー１５０は、ホルダ１５０にバッテリー１６０を保持するための多数の保持タブ１５３を含む。追加的に、バッテリーホルダー１５０は、ＰＣＢＡ１２０の表面からのバッテリー１６０の正確な間隔を確立するため、及び弾性フィンガー２３５、２３６との適切な接触を確保するために、多数の足部１５２を含む。この実施形態では、ＰＣＢＡ１２０へバッテリー１６０をはんだ付けするよりもむしろ弾性フィンガー２３５、２３６が使用される。代わりの実施形態でははんだ付けが使用されるかもしれないが、弾性フィンガー２３５，２３６の１つの利点は、ＰＣＢＡ１２０及びホルダ１５０から、どちらの部品も損傷することなくバッテリー１６０を取り外すことを可能にし、よって両者の多数の再使用を可能にするという点である。はんだ接合を排除することは、またモニタリング装置１００の組み立て及び分解を単純化しスピードアップする。
【００２７】
いくつかの実施形態では、上部ハウジング部材１４０は、患者事象トリガーとして働いてもよい。患者が心リズムモニタリング用に生理学的モニタリング装置１００を着用しているとき、患者によって知覚されたいかなる心臓の事象も、患者が装置１００に登録することができる（すなわち、装置のメモリにログインする）ことは典型的に利点である。心臓不整脈の発症であると患者が信じるものを彼／彼女が感じたならば、例えば、患者はなんとかして装置１００をトリガーするかもしれず、よって知覚された事象の記録が供給される。ある程度後に、患者の記録され知覚された事象は、装置１００によって記録された、患者の実際の心臓リズムと比較することができるかもしれず、そしてこれは、患者の知覚された事象が実際の心臓の事象と関連するかどうかを判断するのに役立つかもしれない。しかしながら、現在利用可能な着用可能な心リズムモニタリング装置において患者事象トリガーに関する１つの問題は、特にモニタリング装置は典型的に衣類の下に着用されることから、小さなトリガーは見つけて及び／又は作動させるのが難しいかもしれないということである。さらに、トリガーボタンを押すことは、そのときに記録された心臓リズム信号が、患者トリガリングにより装置に引き起こされた動きによって簡単に変更されるというように、装置における電子機器及び／又は電極に影響を与えるかもしれない。例えば、トリガーを押すことは、実際の不整脈事象が生じなかったとしても、そのときの記録された心臓リズム信号が不整脈のように現われるように、一つあるいは両方の電極を振動させるかもしれない。さらに、例えばモニタリング装置上に寝ているあるいは横になっている間に、トリガーが不注意に作動されるかもしれないという可能性もある。
【００２８】
しかしながら、図１Ａ及び図１Ｂに示される実施形態では、剛性のあるハウジング１１５は十分に剛性があり可撓体１１０は十分に柔軟であり、患者によってハウジング１１５に加えられたその動作は、電極により感知されるべき異常な信号をめったにあるいは常に引き起こすものではないかもしれない。この実施形態では、上部ハウジング部材１４０の中央部分はわずかに凹面であり、装置１００を着用している患者によって押されたとき、この中央部分は、ＰＣＢＡ１２０にトリガー入力を引き起こすためにわずかに押し下がる。それがわずかに凹面であるという事実と結合して、剛性のあるハウジング１１５の全上部表面が患者事象トリガーとして働くことから、衣類の下でさえ、患者がトリガーを見つけて押し下げることは一般的に非常に容易になるだろう。さらに、ボタンの凹面特徴は、凹所にものを置くことを可能にし、不注意な起動からそれを保護する。よって、本実施形態は、現在利用可能な心臓リズムモニターにおいて患者事象トリガーにより遭遇する問題のいくつかを緩和するかもしれない。図１Ａ及び図１Ｂに示される特徴のこれら及び他の態様は、さらに詳細に以下に記述されるだろう。
【００２９】
図２Ａ及び図２Ｂを参照して、プリント回路基板組立体１２０（あるいは「ＰＣＢＡ」）は、上面２２０、底面２３０、患者トリガー入力部２１０、及び弾性接点２３５、２３６、２３７を含んでもよい。プリント回路基板組立体１２０は、機械的に電子部品を支持し、かつ、導電性の経路、トラックあるいは電極トレース３１１，３１２を使用して電気的に接続するために使用されてもよい。さらに、ＰＣＢＡ１２０の繊細な特徴及び剛性のある本体部１１５との機械的な接続要求のため、ＥＣＧ信号へノイズあるいはアーチファクトを導入するかもしれない望まない撓みを防止するのに十分な実質的な剛性をＰＣＢＡ１２０に持たせることは有益である。これは、剛性のある本体部１１５を通してそしてＰＣＢＡ１２０へ力が伝えられるときの、患者トリガー起動の間に特に起こり得る。ＰＣＢＡの剛性を確保する一つの方法は、ＰＣＢＡの厚さが相対的にある値よりも上であることを保証することである。例えば、少なくとも約０．０８ｃｍの厚さが望ましく、より好ましくは、少なくとも約０．１７ｃｍの厚さが望ましい。この出願では、ＰＣＢＡ１２０は、また、プリント回路基板（ＰＣＢ）、プリント配線板（ＰＷＢ）、エッチングされた配線板、あるいはプリント回路組立品（ＰＣＡ）と呼ばれてもよいし、あるいは置き換えられてもよい。いくつかの実施形態では、ワイヤラップあるいはポイントツーポイント構造がＰＣＢＡ１２０に加えて、あるいはＰＣＢＡ１２０の代わりに使用されてもよい。ＰＣＢＡ１２０は、アナログ回路及びディジタル回路を含んでもよい。
【００３０】
患者トリガー入力部２１０は、上で述べた上部ハウジング部材１４０のような、患者トリガーからＰＣＢＡ１２０への信号を中継するように構成されてもよい。例えば、患者トリガー入力部２１０は、患者トリガー（すなわち上部ハウジング部材１４０の上部表面）からの圧力に反応するＰＣＢスイッチあるいはボタンであってもよい。種々の実施形態において、患者トリガー入力部２１０は、表面実装型スイッチ、タクトスイッチ、ＬＥＤ照明型タクトスイッチ、等であってもよい。いくつかの実施形態では、患者トリガー入力部２１０は、またＬＥＤのようなインジケータを作動させてもよい。
【００３１】
ここに記述される装置１００のような小さな、２つの電極の生理学的モニタリング装置によって人間あるいは動物の被験者から心臓リズム信号を集めることにおいて一つの重要な挑戦は、２つの電極だけを有することが、アーチファクトと臨床的に重要な信号とを区別しようとするときに、時々、制限された考え方を与えることがあるということである。例えば、左利きの患者が彼女の左胸に小さな２つの電極の生理学的モニタリング装置を着用しながら歯を磨くとき、歯磨きは、しばしば、重大な心臓不整脈に非常に類似している心室性頻拍を、記録される信号に出現させるというモーションアーチファクトをもたらすかもしれない。さらにリード線を加えること（及び、よってベクタ（vectors））は、この関係の緩和に向けた従来のアプローチであるが、しかし、これは、ホルターモニターでのように、患者の胸の様々な場所に付着した余分なケーブルを加えることによって典型的に行われる。このアプローチは、生理学的モニタリング装置１００のような小さく、着用可能な長期モニターと調和しない。
【００３２】
上述した問題への代わりのアプローチは、信号識別を助けるために一もしくは複数の追加のデータチャンネルを設けることである。いくつかの実施形態において、例えば、装置１００は、パッチの動きを検出するデータチャンネルを含んでもよい。ある実施形態では、加速度計は、単一軸測定の大きさの変化、あるいは代わりに３軸すべての組み合わせの大きさの変化を単に分析することにより、パッチの動きを提供するかもしれない。この加速度計は、記録されたＥＣＧ信号の周波数スペクトルとその周波数スペクトルとのアルゴリズムの比較を可能にする十分なサンプリングレートで、装置の動きを記録してもよい。その動きと記録された信号との間に一致がある場合には、その時間に装置が記録したのは臨床の（例えば、心臓）源からではなく、よって信号のその部分は確信してアーチファクトとしてマークすることができるということは明らかである。この技術は、大きな振幅アーチファクトとともに動きの迅速な周波数が、心拍数、及び心室性頻拍のような潜在的に生命に危険のある不整脈の形態にそれぞれ類似している、上述した例の歯磨き動作に特に役立つかもしれない。
【００３３】
いくつかの実施形態では、そのような解析のために３軸すべての大きさを使用することは、活動の変化よりもむしろ位置の移動によるいかなる値の急変動も平らにするだろう。他の実施形態では、ウォーキングあるいはランニングに関連した上向き及び下向きの体の動きによってもたらされる特定種類のアーチファクトに注目するため、体の長手方向軸に沿うような特定の測定軸を使用することにおいて、いくらかの利点があるかもしれない。同様に、加速度計とともにジャイロスコープの使用は、経験のある動きの特徴についてさらなる解決を提供するかもしれない。全身動作は、加速度計それだけで十分に解析されるかもしれないが、腕の動きによる回転運動のような興味深い特定の動きは、加速度計だけでは識別することができないかもしれないほど十分に複雑である。
【００３４】
モーションアーチファクトの検出に加えて、人間の身体活動のダイナミックレンジに合わせた加速度計は、記録中の患者の活動レベルを提供するかもしれない。これはまた、真の不整脈検出アルゴリズムの精度を増すことができる。装置１００の単一リード線制限がある場合には、上室性頻拍のような、速さの変化に加えて殆ど目立たない波（例えばＰ波）の観察を必要とする不整脈は、人間の目を訓練することのみならずコンピューター処理されるアルゴリズムの両方への挑戦を引き起こす。特にこの不整脈はまた、その突然の発症性質が特徴であり、このことは、心拍数の増加と同時に患者の活動レベルの突然の急増が検出された場合には、非病理学的な洞性頻脈から、より確信して区別されるかもしれない。おおまかに言えば、臨床の専門家への活動情報の提供は、運動誘発性の不整脈とそうでないものとを識別することを助けるかもしれない。モーションアーチファクト検出と同様に、特別の方向に最適化された単一軸の加速度計測定は、ウォーキングあるいはランニングのような活動の種類をより明確に決定することを援助するかもしれない。この追加の情報は、症状をより明確に説明することを助け、それによって、それに続く治療動作の推移に影響を与えるかもしれない。
【００３５】
ある実施形態において、３軸を有する加速度計は、運動の大きさが提供可能なものを超えた利点を与えるかもしれない。患者が素早く移動していないとき、３次元の加速度計の読み取り値は、ＰＣＢＡ１２０の傾き、したがってその元の配向に関連する体の方向に近似するかもしれない。体の元の方向は、体への装置の適切な位置及び適用に必要な直立あるいは仰臥位のいずれかにあると仮定することができる。この情報は、しばしば心不全の場合において現れる、周期的な振幅変化が観察される心臓交互（cardiac alternans）のような心拍間隔形態の変化として、ある心臓の状態を除外することを援助するかもしれない。同様に心拍間隔形態の変化は、例えば直立から前屈みの位置への、電極ベクターに関して心臓の位置が変わることによって体位が移るときには、健康な被験者においても観察可能である。設計によって単一チャンネルの装置１００は、形態における潜在的な病理変化を容易に除外するために代替のＥＣＧチャンネルを有さないが、しかしながら、体の向きの移行との相関関係は、それらの正常な変化を説明し、誤った診断による不必要な治療を回避するのに役立つだろう。
【００３６】
他の実施形態では、加速度計はまた、体の向き及び動きに基づいて、睡眠表示器として使用してもよい。臨床的症状（例えば脈の結滞（pauses））があるとき、睡眠中に起こる事象を起きている間に起こるものから明確に分離する方法で情報を示すことができることは診断上有用である。実際、ＥＣＧ由来の呼吸数だけに関するような、あるアルゴリズムは、患者が比較的静止した状態にありよって呼吸による胸の動きにより導かれる微妙な信号変調が観察できるとき、走ることと理解できる。呼吸数情報は、ある患者母集団における睡眠時無呼吸を検出するのに必要な情報の一つのチャンネルとして有用である。
【００３７】
ある実施形態において、加速度計はまた、失神のような自由落下を検出するために使用されてもよい。加速度計によって装置１００は、患者のトリガーに頼ることなく、失神（意識喪失）及び他の自由落下事象をマークすることができるかもしれない。そのような重大な事象の適時な検出を可能にするために、装置１００のような小さく着用可能な装置のバッテリー及びメモリの制限をさらに考慮して、加速度計の読み取り値の取得は、一気に行われ、潜在的な自由落下のような興味のある情報のみが高いサンプリングレートでメモリに書かれる。この事象トリガー発想の発展したものは、先に述べたボタンの代わりに、あるいはボタンと共に患者トリガーとして装置１００における特定のタッピング動作を使用することである。複数種類の連続したタッピングの使用及び検出は、起こった事実の後にトリガー日誌にその症状及び持続時間を手で記録するような患者への依存の代わりに、患者がまさに感じたことをより良い分解能及び精度で提供するかもしれない。そのように加えられた分解能の一例は、連続するタップの数によって症状の重症度を示すことである。
【００３８】
あるいはまた他の実施形態において、装置の動きと患者の体の動きとを識別するために光学センサが使用されてもよい。さらに、追加の実施形態では、装置はボタンあるいはトリガーを必要としないかもしれない。
【００３９】
生理学的モニタリング装置１００に加えられてもよい別の任意的なデータチャンネルは、装置１００の柔軟さ及び／又は屈曲さを検出するためのチャンネルである。種々の実施形態において、例えば、装置１００は、装置１００自身におけるモーションアーチファクトを検出し、よってモーションアーチファクトと心リズムデータとを識別するのに役立つように、歪みゲージ、圧電センサ、あるいは光学センサを含んでもよい。さらに、装置１００用の別の任意的なデータチャンネルは、心拍数を検出するためのチャンネルであってもよい。例えば、パルスオキシメーター、マイクロホン、あるいは聴診器は、心拍数情報を提供するかもしれない。余分の心拍数データは、アーチファクトからＥＣＧ信号の識別を容易にするかもしれない。これは、上室性頻拍のような不整脈がアーチファクトによって中断され、発症が実際には多数のより短い発症か、一つの持続した発症かを決定しなければならないような場合に特に役立つ。別のデータチャンネルは、周囲の電気的ノイズを検出するために含まれてもよい。例えば、装置１００は、電磁干渉を捕らえるためのアンテナを含んでもよい。電磁干渉の検出は、実際のＥＣＧ信号から電気的ノイズの識別を容易にするかもしれない。上述のデータチャンネルのいずれも将来のノイズ判別を支援するために保管されてもよく、あるいはリアルタイムにおける臨床的妥当性の即時の決定に適用されてもよい。
【００４０】
図３Ａ及び図３Ｂを参照して、可撓体１１０が非常に詳しく示されている。図３Ａに図示されるように、可撓体１１０は、ウィング１３０，１３１、各ウィング１３０，１３１の周りの少なくとも一部の薄い縁部１３３（あるいは「リム」あるいは「エッジ」）、電極トレース３１１，３１２、及び、剛性のあるハウジング１１５を有する各ウィング１３０，１３１の接合部あるいはその付近での蝶番部（あるいは「肩部」）１３２を含んでもよい。また、図３Ａには上部ガスケット３７０が示され、これはこの記載に関して可撓体１１０の一部とは考えないが、剛性のあるハウジング１１５への可撓体１１０の取り付けを容易にする。
【００４１】
蝶番部１３２は、比較的薄く、可撓体１１０の柔軟な部分よりもさらに薄い。これらは、剛性のあるハウジング１１５に結合されるエリアで可撓体１１０が自由に曲がることを可能にする。このことは、患者が動いたとき、ハウジング１１５が患者の皮膚の自由な剥離を可能にするので、快適さを増す。また電極トレース３１１，３１２は、信号ひずみなく患者の移動を可能にするように非常に薄く柔軟である。縁部１３３は、可撓体１１０の一部分であり、直接隣接した部分よりも薄く、可撓体１１０から患者の皮膚への滑らかな遷移部を提供し、それによりエッジリフトを防止し可撓体１１０の下へのゴミあるいは破片の侵入を防止する。
【００４２】
図３Ｂに非常に詳しく示すように、可撓体１１０は、多層を含んでもよい。先に述べたように、この記載の目的で上部ガスケット３７０及び下部ガスケット３６０は、可撓体１１０の一部と考えないが、記載の完全性のために示される。この区別は記載の容易さのみのためであり、特許請求された発明の権利範囲を制限するように解釈されるべきではない。可撓体１１０は、上部基板層３００、底部基板層３３０、粘着層３４０、及び可撓性電極３５０を含んでもよい。上部及び底部の基板層３００，３３０は、一もしくは複数の柔軟な重合体のようないかなる適切な可撓性材料で作製されてもよい。適切な柔軟な重合体は、次のものに限定されないが、ポリウレタン、ポリエチレン、ポリエステル、ポリプロピレン、ナイロン（登録商標）、テフロン（登録商標）、及びカーボンを含浸したビニールを含むことができる。基板層３００，３３０の材料は、所望の特性に基づいて選択されてもよい。例えば、基板層３００，３３０の材料は、可撓性、弾性、耐久性、通気性、水分蒸散性、付着性、及び／又はそのようなものに関して選ばれてもよい。一つの実施形態では、例えば、上部基板層３００は、ポリウレタンで作製されてもよく、底部基板層３３０は、ポリエチレンあるいは代わりにポリエステルで作製されてもよい。他の実施形態では、基板層３００，３３０は、同じ材料で作製されてもよい。さらに別の実施形態では、基板層３３０は、より高い通気性及び水分蒸散性を提供するために、粘着層３４０を覆うエリアに複数の穿孔を含んでもよい。種々の実施形態において、生理学的モニタリング装置１００は、着用の時間中外されることなく、かつシャワー中、運動中等において装置が着用された状態で、１４−２１日あるいはこれ以上の間、患者によって連続的に着用されるかもしれない。したがって、使用される材料、基板層３００，３３０の厚さ及び構成は、生理学的モニタリング装置１００の機能にとって本質的なものかもしれない。いくつかの実施形態では、基板層３００，３３０の材料は、アーキングを防ぐために電気的静電放電（ＥＳＤ）として働く。
【００４３】
典型的には、上部及び底部の基板層３００，３３０は、１もしくは両方の層３００，３３０に置かれた接着剤を介してお互いに取り付けられている。例えば、基板層３００，３３０の間の接着剤あるいはボンディング基板は、アクリル系、ゴム系、あるいはシリコーン系の接着剤であってもよい。他の代わりの実施形態では、可撓体１１０は、２つを超える可撓性材料の層を含んでもよい。
【００４４】
材料の選択に加えて、基板層３００，３３０の寸法−厚さ、長さ、幅は、可撓体１１０の所望の特性に基づいて選択されてもよい。例えば、様々な実施形態において、基板層３００，３３０の厚さは、約０．１ｍｍと約１．０ｍｍとの間の全体厚を、可撓体１１０に与えるように選択されてもよい。種々の実施形態によれば、可撓体１１０はまた、約７ｃｍと１５ｃｍとの間の長さ、及び約３ｃｍと約６ｃｍとの間の幅を有してもよい。一般的に、可撓体１１０は、電極３５０間に必要な量の分離を設けるために十分な長さを有するだろう。例えば、１つの電極３５０の中心から他の電極３５０の中心までの距離は、少なくとも約６．０ｃｍで、より好ましくは少なくとも約８．５ｃｍであるべきである。この分離距離は、適用に応じて変更してもよい。いくつかの実施形態では、基板層３００，３３０は、すべて同じ厚さを有してもよい。あるいはまた２つの基板層３００，３３０は、異なる厚さを有するかもしれない。
【００４５】
上述したように、蝶番部１３２は、可撓体１１０が皮膚に付着されたままで、剛性のある本体部１１５が患者から離れて上がることを可能にする。蝶番部１３２の機能性は、皮膚を伸ばし及び圧縮するかもしれない様々な活動のすべてにわたり装置が患者に付着され続けることを可能にすることにおいて重要である。さらに蝶番部１３２は、装置を着用している間、著しく改善された快適さを可能にする。一般的に、蝶番部１３２は、可撓体１１０に非常に大きな剥離力を生成することなく、剛性のある本体部１１５の適切な持ち上げを提供するのに十分に幅広であろう。例えば、種々の実施形態において、蝶番部１３２の幅は、少なくとも約０．２５ｃｍで、より好ましくは少なくとも約０．７５ｃｍであるべきである。
【００４６】
さらに、可撓体１１０の形状あるいは設置面積は、所望の特性に基づいて選択されてもよい。図３Ａに示されるように、ウィング１３０，１３１及び縁部１３３は、可撓体１１０に全体的に見て「ピーナッツ」形状を与える丸まったエッジを有してもよい。しかしながらウィング１３０，１３１は、長方形、楕円形、環状形あるいは短冊形のような、いかなる数の異なる形状にて形成することができる。図３Ａ及び図３Ｂに示される実施形態において、上部基板層３００の設置面積は、上部基板層３００の拡張部が縁部１３３を形成するので、底部基板層３３０の設置面積よりも大きい。よって縁部１３３は、上部基板層３００が作製されているのと同じポリウレタン材料で作製されている。縁部１３３は、上部基板層３００にのみ含まれるので、各ウィング１３０，１３１の隣接した部分よりも薄い。薄く、非常に柔順なリム１３３は、ウィング１３０，１３１のわずかに厚い隣接部分から患者の皮膚まで遷移部を提供し、それにより装置１１０の縁が皮膚から剥離するのを防ぐのに役立つことから、生理学的モニタリング装置１００の患者への粘着性を増すだろう。縁部１３３はまた、可撓体１１０の下にゴミ及び他の破片の収集を防ぐのに役立つかもしれず、このことは、皮膚への粘着性を促進し、また装置１１０の美観を増すのにも役立つかもしれない。代わりの実施形態では、基板層３００，３３０の設置面積は、縁部１３３を無くすことで、同じであってもよい。
【００４７】
図１Ａ−図３Ｂに図示した実施形態では、ほぼ反対方向（すなわち互いに関して１８０度の角度で）にて剛性のあるハウジング１１５から延在する、２つのウィング１３０，１３１だけを含んでいるが、代わりの実施形態では他の構成も可能である。例えば、いくつかの実施形態では、ウィング１３０，１３１は、互いに関して非対称の方向に配置されてもよいし、及び／又は一もしくは複数のウィングが含まれてよい。生理学的信号のモニタリングを可能にするために十分な電極間隔が設けられる限り、及び、ウィング１３０，１３１が皮膚への長期にわたる（extended）取り付けを提供するように構成される限り、いかなる適切な構成及び数のウィング１３０，１３１及び電極トレース３１１，３１２が使用されてもよい。上で説明した実施形態は、粘着性、患者の快適性、及び集められた心臓リズムデータの精度に関して有利であることが判明したが、代わりの実施形態では、代わりの構成を実施することが可能かもしれない。
【００４８】
粘着層３４０は、底部基板層３３０の底面の２つの部分に貼付される接着剤であり、その各部分は、ウィング１３０，１３１の一つに対応する。よって粘着層３４０は、剛性のあるハウジング１１５が装着される底部基板層３３０の部分には延在しない。比較的快適でかつ皮膚のかぶれの無い状態で患者皮膚への長期付着の提供のために、ある接着剤が好適であると分かっているけれども、粘着層３４０は、いかなる適切な接着剤で作られてもよい。例えば、一つの実施形態では、粘着層３４０は、親水コロイド接着剤である。別の実施形態では、粘着層３４０は、発汗の間、皮膚から水分を取る、天然由来あるいは合成の吸収材料を含む親水コロイド接着剤で構成される。
【００４９】
粘着層３４０の２つの部分の各々は、電極３５０の一つが嵌まり込む穴を含む。電極３５０は、さらに可撓体１１０の全体的な順応性を提供するために可撓性材料で作製されている。一つの実施形態では、例えば、可撓性電極３５０は、ヒドロゲル３５０で作製されてもよい。電極３５０は、一般的に、皮膚との増強された電気的接続を提供し、かつモーションアーチファクトを低減するために、皮膚と等角で非刺激性の接触を提供する。いくつかの実施形態では、ヒドロゲル電極３５０は、粘着層３４０へパンチされ、それにより穴を形成し穴をヒドロゲル電極３５０で埋めてもよい。一つの代わりの実施形態では、電極３５０及び粘着層３４０は、導電材料で作られた粘着層と取り替えられてもよく、その結果、各ウィング１３０，１３１の下側の全粘着層は、電極として働く。そのような粘着層は、ハイブリッド粘着／導電性物質、もしくは導体性エレメントあるいは粒子と混合した粘着物質を含んでもよい。例えば、１つの実施形態では、そのような粘着層は、ヒドロゲルと親水コロイド接着剤との混成物であってもよい。
【００５０】
上述したようにいくつかの実施形態では、粘着層３４０は、下部基板層３３０の下側の一部をカバーしてもよく、その結果、可撓体１１０の底面側の少なくとも一部は、粘着層３４０を含んでいない。図３Ａに示すように、蝶番部１３２は、粘着層３４０が貼付されない各ウィング１３０，１３１の部分として、可撓体１１０に形成されてもよい。蝶番部１３２は、一般に、剛性のあるハウジング１１５と可撓体１１０との接合部にあるいはその付近に位置し、よって患者の移動に順応するように装置１００の屈曲を提供する。いくつかの実施形態において蝶番部１３２は、ウィング１３０，１３１の隣接部分の幅よりも小さい幅を有してもよく、よって、上述した「ピーナッツ」形を装置１００に与える。図８に示すように、患者が動くとき、装置１００は患者の動きと共に屈曲する。装置の屈曲は過酷になるかもしれず、長期モニタリングの間に多数回生じるだろう。蝶番部１３２は、患者への動的な順応性を可能にしてもよく、一方、剛性のあるハウジング１１５は、装置の屈曲の間に飛び上がり患者の皮膚から離れることを可能にしてもよく、したがって、その縁にて皮膚から装置１００が剥離するのを防止する。
【００５１】
可撓体１１０は、さらに、上部基板層３００と下部基板層３３０との間にはさまれた２つの電極トレース３１１，３１２をさらに含む。電極トレース３１１，３１２のそれぞれは、電極界面部分３１０及び心電図回路界面部分３１３を含んでもよい。図３Ｃ及び図３Ｄに示すように、ＥＣＧ回路界面部分３１３は、弾性フィンガー２３７と物理的な接触にあり、装置１００あるいは着目された装置部分１０１が組み立てられたとき、ＰＣＢＡ１２０と電気通信を提供する。電極界面３１０は、ヒドロゲル電極３５０に接触する。よって、電極トレース３１１，３１２は、電極３５０からＰＣＢＡ１２０へ心リズム信号（及び／又は様々な実施形態において他の生理学的データ）を伝送する。
【００５２】
電極トレース３１１，３１２の材料及び厚さは、可撓性、耐久性、及び信号伝送の所望の組み合わせを提供するために重要である。例えば、一つの実施形態では、電極トレース３１１，３１２は、銀（Ａｇ）及び塩化銀（ＡｇＣｌ）の組み合わせを含んでもよい。銀及び塩化銀は、複数の層に配置されてもよい。例えば、電極トレース３１１，３１２の一つの実施形態は、銀の上層、カーボンを含浸したビニールの中間層、及び塩化銀の底層（患者に面する）を含んでもよい。別の実施形態では、電極トレース３１１，３１２の上層及び底層の両方は、塩化銀で作られてもよい。一つの実施形態では、上層及び底層は、銀インク及び塩化銀インクのそれぞれの形態で中間層に適用されてもよい。代わりの実施形態では、各電極トレースは、銀の上層及び塩化銀の底層のように、２つの層だけを含んでもよい。種々の実施形態において、ＡｇＣｌのような各電極トレース３１１，３１２の底層の材料は、ヒドロゲル電極３５０の化学的性質と一致し、かつ患者の体と半電池を生成するように選択してもよい。
【００５３】
電極トレース３１１，３１２の厚さは、多くの望ましい特性のいずれも最適化するように選択されるかもしれない。例えば、いくつかの実施形態では、電極トレース３１１，３１２の少なくとも１つの層は、アノード／カソード効果からの材料の減損を時間にわたって最小化あるいは遅くらせるために十分な厚さであることができる。追加的に、その厚さは、所望の可撓性、耐久性、及び／又は信号伝送品質のために選択されてもよい。柔軟な電極トレース３１１，３１２は、一般的に、患者の皮膚との等角接触を提供するのに役立つかもしれず、また、電極３５０が皮膚から剥離あるいは持ち上がるのを防止するのに役立つかもしれず、それにより、電極３５０へのストレスの転送を最小化することによって強いモーションアーチファクト排除及び優れた信号品質を提供する。
【００５４】
上述のように、いくつかの実施形態では、上部ガスケット３７０及び底部ガスケット３６０は、可撓体１１０の上部基板３００及び下部基板３３０に取り付けられてもよい。ガスケット３６０，３７０は、例えばウレタンのような、いずれの適切な材料で作られてもよく、これは、上部ハウジング部材１４０と剛性のあるハウジング１１５の下部ハウジング部材１４５との間に水密シールを提供する。１つの実施形態において、上部ガスケット３７０及び／又は底部ガスケット３６０は、粘着面を含んでもよい。図３Ｅはさらに別の実施形態を図示し、ここでは、上部基板３００にさらに粘着されながら上部ハウジング１４０の輪郭から離れて突出するタブ３７１を、上部ガスケット３７０は含んでいる。タブ３７１は、電極トレース３１１，３１２の一部を覆い、可撓体が剛性のあるハウジングに遭遇するところの最も高いストレスポイントで、それぞれのトレースに関して負荷軽減を提供する。
【００５５】
図４を参照して、剛性のあるハウジング１１５の上部ハウジング部材１４０及び下部ハウジング部材１４５が非常に詳しく示されている。上部及び下部ハウジング部材１４０，１４５は、剛性のあるハウジング１１５内に含まれるＰＣＢＡ１２０、バッテリーホルダー１５０、バッテリー１６０、及び他の部品を含むために、ガスケット３６０，３７０と共に連結されたとき、防水筐体を形成するように構成されてもよい。ハウジング部材１４０，１４５は、例えば耐水性プラスチックのような、内部部品を保護するためにいかなる適切な材料で作られてもよい。一つの実施形態では、上部ハウジング部材１４０は、剛性のある側壁４４０、ＰＣＢＡにおけるＬＥＤからハウジング部材を通して視覚情報を伝導するライトパイプ４１０、わずかに柔軟な上面４２０、及び上面４２０から内部へ延在する内部トリガー部材４３０を含んでもよい。上面４２０は、患者が不整脈あるいは他の心臓の事象であると信じるものに気づいたとき、患者によって押下されるように構成される。押下されたとき、上面４２０は、内部トリガー部材４３０を押下し、これはＰＣＢＡ１２０のトリガー入力部２１０に接触して作動させる。加えて、先に述べたように、上面４２０は、指の形を収容するように凹形状（ハウジング１１５の内部へ向いたくぼみ）を有してもよい。上部ハウジング部材１４０の設計は、電極３５０からトリガー入力部２１０の動作を分離し、それによってデータ記録中のアーチファクトを最小化すると考える。
【００５６】
引き続き図４を参照して、モニタリング装置１００の構成部品の少なくともいくつかの再使用性のためにハウジング部材１４０，１４５が容易に取り付けられ分離されてもよいような方法において、下部ハウジング部材１４５は、上部ハウジング部材１４と着脱可能に接続するように構成されてもよい。いくつかの実施形態では、下部ハウジング部材１４５の底面４４５（患者対向面）は、多数のくぼみ４５０（あるいは「バンプ」、「突出部」など）を含んでもよく、これは、使用中、患者の皮膚に接触するであろう。くぼみ４５０は、底面４４５と患者の皮膚との間に気流を可能にし、それによって、底面４４５と皮膚との間にシールが形成されるのを防止する。くぼみ４５０は、快適さを改善し、かつ、ハウジング１１５が皮膚から上がり皮膚とのシールを壊したときにあたかもモニタリング装置１００が落ちているかのように患者が感じる現在利用可能な装置における知覚を防止するのに役立つと考える。さらに別の実施形態では、下部ハウジング部材４５０の底面４４５は、シールが形成するのを防ぐために多数のディボット（突出部の代わりの凹部）を含んでもよい。
【００５７】
図５Ａを参照して、バッテリーホルダー１５０が非常に詳しく示されている。バッテリーホルダー１５０は、プラスチックあるいは他の適切な材料で作られてもよく、ＰＣＢＡ１２０に装着され続いて剛性のあるハウジング１１５に取り付けられるように構成され、２つのバッテリー１６０（図１Ｂ）を保持することができる。代わりの実施形態では、バッテリーホルダー１５０は、１つのバッテリー、あるいは２つを超えるバッテリーを保持するように構成されてもよい。複数の突出部１５２は、デリケートな電子部品との望まない接触を回避しさらに弾性接点２３５（図５Ｂ）の適切な圧縮を提供しながら、ＰＣＢＡ１２０の表面の上方に固定距離でバッテリー１６０が位置決めされるようにバッテリー１６０用の安定したプラットホームを提供する。突出部１５３は、バッテリー１６０を所定位置にロックし、弾性接点２３５からのバッテリー１６０における押上げ力に抵抗する。バッテリーホルダー１５０はまた、弾性接点２３６の適切な圧縮を提供するようにバッテリー１６０を適切に位置決めする。弾性接点２３５，２３６と共にバッテリーホルダー１５０を使用することは、バッテリー１６０とＰＣＢＡ１２０との間に追加の電子部品をさらに有しながら、バッテリー１６０がＰＣＢＡ１２０に電気的に接続されることを可能にし、かつ非常にコンパクトな組立体を維持することを可能にする。バッテリーホルダー１５０は、上部ハウジング部材１４０における対応の剛性のあるフック４４０と係合する柔軟なフック５１０を含んでもよい。正常な組み立て条件下では、柔軟なフック５１０は、剛性のあるフック４４０としっかりと結合して留まる。分解については、柔軟なフック５１０は、上部ハウジング１４０を通るツールで剛性のあるフック４４０から解放され、続いて上部ハウジング１４０の除去を可能にする適切なツールを使用して、押し曲げられることができる。
【００５８】
図６Ａ及び図６Ｂを参照して、生理学的モニタリング装置１００は、側面断面図にて示されている。図６Ａに示すように、生理学的モニタリング装置１００は、剛性のあるハウジング１１５と連結した可撓体１１０を含んでもよい。可撓体１１０は、上部基板層３００、底部基板層３３０、粘着層３４０、及び電極３５０を含んでもよい。電極トレース３１１，３１２はまた、典型的に可撓体１１０の一部であり、上部基板層３００と底部基板層３３０との間に埋め込まれるが、しかし、それらは図６に示されていない。可撓体１１０は、ハウジング１１５の両側に延在する２つのウィング１３０，１３１、及び各ウィング１３０，１３１の少なくとも一部を取り囲む縁部１３３を形成する。剛性のあるハウジング１１５は、可撓体１１０の一部を間に挟みＰＣＢＡ１２０用の水密にシールされた区画を提供するように、下部ハウジング部材１４５と連結される上部ハウジング部材１４０を含んでもよい。上部ハウジング部材１４０は、内部トリガー部材４３０を含んでもよく、ＰＣＢＡは、患者トリガー部材２１０を含んでもよい。先に述べたように、下部ハウジング部材１４５は、モニタリング装置１００の快適さを増すために多数のくぼみ４５０あるいはディボットを含んでもよい。
【００５９】
ＰＣＢＡ１２０が湾曲して信号へ望まないアーチファクトを導入することを防止するため、十分に剛性があることは望ましい。ある実施形態では、ＰＣＢＡ１２０の望まない湾曲を減じ防止する追加の機構が使用されてもよい。この機構は図６Ｂに示される。支柱４６０は、下部ハウジング１４５と一体であり、患者トリガー入力部２１０の真下に位置決めされる。患者の症状トリガリングの間、上部ハウジング部材１４０は押下され、内部トリガー機構４３０に係合し、患者トリガー入力部２１０を通してＰＣＢＡ１２０へ力を伝達する。この力は、曲げモーメントを生成することなく、よって望まないアーチファクトを防止しながら、ＰＣＢＡ１２０を通して支柱４６０へさらに伝達される。
【００６０】
図７を参照して、いくつかの実施形態において、生理学的モニタリング装置１００は、一もしくは複数の追加の任意的な特徴を含んでもよい。例えば、一つの実施形態では、モニタリング装置１００は、除去可能なライナー８１０、上ラベル８２０、装置識別子８３０、及び底ラベル８４０を含んでもよい。ライナー８１０は、患者への装置１００の貼付を援助するために、可撓部材１１０の上面を覆って貼付されてもよい。以下にさらに詳細に説明するように、ライナー８１０は、使用前に粘着面３４０を覆う一もしくは複数のカバー（不図示）を除去する間、ウィング１３０，１３１と共に、可撓体１１０の縁部１３３を支持するのに役立つかもしれない。ライナー８１０は、接着剤カバーの除去の間、可撓体１１０の支持を支援するために、比較的剛性があり及び／又は硬くてもよい。種々の実施形態において、例えば、ライナー８１０は、ボール紙、厚手の紙、プラスチックなどで作製されてもよい。ライナー８１０は、典型的に、可撓体１１０のウィング１３０，１３１の上面に付着するために片面に接着剤を含む。
【００６１】
ラベル８２０，８４０は、いかなる適切なラベルであってもよく、物品名、製造者名、ロゴ、デザイン、及び／又は同種のものを含んでもよい。それらは、典型的に、未登録のユーザーによる無秩序な再使用及び／又は装置の再販売を防止するために永久的に取り付けられるが、除去可能あるいは永久的に上部ハウジング部材１４０及び／又は下部ハウジング部材１４５に取り付けられてもよい。装置識別子８３０は、バーコード・ステッカー、コンピューター読取り可能なチップ、ＲＦＩＤなどであるかもしれない。装置識別子８３０は、ＰＣＢＡ１２０、可撓体１１０などに永久的にあるいは除去可能に取り付けられてもよい。いくつかの実施形態において、ＰＣＢＡ１２０と共に装置識別子８３０を有することは有益かもしれない。
【００６２】
図８Ａ及び図８Ｂを参照して、生理学的モニタリング装置１００は、一般的に、剛性のあるハウジング１１５と各ウィング１３０，１３１との結合部に、あるいはその近くに、蝶番部１３２を含む。追加的に、各ウィング１３０，１３１は、典型的に粘着層３４０を介して患者に付着されるが、一方、剛性のある本体部１１５は、患者に付着されず、よって自由であり、患者位置の移動及び変更の間、患者の皮膚の上方に「浮く」（すなわち、上下に移動する）。言い換えれば、患者の胸が収縮するとき、剛性のあるハウジングは、飛び出るか、あるいは皮膚の上方に浮き、よって、装置１００におけるストレスを最小化し、快適さを増し、ウィング１３０，１３１が皮膚から剥離する傾向を低減する。浮いている剛性のある本体部１１５、及び付着したウィング１３０，１３１の組み合わせによって提供される利点は、図８Ａ及び図８Ｂにて図示している。図８Ａでは、患者は眠っており、図８Ｂでは、患者はゴルフをしている。両方の例において、モニタリング装置１００は、患者の体によってともに圧搾され、ウィング１３０，１３１が共に接近して移動するとき、剛性のあるハウジング１１５を皮膚上に浮かせる。生理学的モニタリング装置の浮いた、非粘着部のこの利点は、米国特許８，５６０，０４６にさらに詳細に説明されており、これは参考として予め組み込まれた。
【００６３】
図９Ａ−図９Ｆを参照して、人間の患者の皮膚に生理学的モニタリング装置１００を適用する方法の一つの実施形態が説明される。この実施形態では、図９Ａにて示される第１ステップの前に、患者の皮膚は、典型的に、装置１００が置かれるだろう左胸の皮膚の小部分を剃り、そして剃った部分を擦り及び／又は清潔にすることにより準備されてもよい。一旦患者の皮膚が準備されれば、図９Ａに示されるように、装置１００を貼付する第１ステップは、装置１００の底面における粘着層３４０から２つの接着剤のカバー６００の１つあるいは両方を除去し、粘着層３４０を露出することを含むかもしれない。図９Ｂに図示するように、次のステップは、粘着層３４０が所望の場所の皮膚に付着するように、皮膚に装置１００を貼付することかもしれない。いくつかの実施形態では、一つの接着剤カバー６００が除去されてもよく、覆われていない粘着層３４０は皮膚に貼付されてもよく、そして第２の接着剤カバー６００が除去されてもよく、第２の粘着層３４０が皮膚に貼付されてもよい。代わりに、皮膚に装置１００を貼付する前に、両方の接着剤カバー６００が除去されてもよい。接着剤カバー６００を除去している間、ライナー８１０は、可撓体１１０の支持として働き、内科医あるいは他のユーザーに、保持するための何かを提供し、可撓体１１０及び可撓体１１０の縁部１３３がそれら自身に折り重なりシワなどを形成するのを防止する。上述したように、ライナー８１０は、皮膚への装置１００の貼付の間に可撓体１１０用の支持を提供するために、比較的硬く堅固な材料で作られてもよい。図９Ｃを参照して、装置１００が皮膚に貼付された後、皮膚への装置１００の粘着を確保するのを支援するために、それを胸に押し下げるように、圧力が可撓体１１０に加えられてもよい。
【００６４】
次のステップでは、図９Ｄを参照して、ライナー８１０が可撓体１１０の上面から除去される（剥がされる）。一旦ライナー８１０が除去されると、図９Ｅに示すように、それが皮膚に付着されることを確保するのを支援するために、再び圧力が可撓体１１０に加えられてもよい。最後に、図９Ｆに示すように、上部ハウジング部材１４０は、生理学的モニタリング装置１４０をオンにするために押されてもよい。この記述された方法は、単に一つの実施形態である。代わりの実施形態では、一もしくは複数のステップがスキップされ及び／又は一もしくは複数のステップが追加されるかもしれない。
【００６５】
ある場合には、約１４−２１日のような、所望のモニタリング期間が終了したときに、患者（あるいは内科医、看護師など）は、患者の皮膚から生理学的モニタリング装置１００を除去し、プリペイドの郵送する小袋に装置１００を入れ、装置１００をデータ処理施設へ送ってもよい。この施設では、装置１００は部分的にあるいは完全に分解されるかもしれず、ＰＣＢＡ１２０は取り外されてもよく、そして、連続的な心臓リズム情報のような保存された生理学データがＰＣＢＡ１２０からダウンロードされるかもしれない。そしてデータは、いかなる適切な方法により分析され、次に、報告書の形で内科医に提供されるかもしれない。そして内科医は、患者と共に報告書について話し合うかもしれない。ＰＣＢＡ１２０、及び／又は剛性のあるハウジング１１５のような装置１００の他の部分は、同じあるいは他の患者のために、その後の装置の製造において再使用されるかもしれない。装置１００は、幾つかの取り外し可能に連結された部品の組み合わせとして構築されていることから、種々の部品は、装置１００の同じ実施形態あるいは異なる実施形態のために再使用されるかもしれない。例えば、ＰＣＢＡ１２０は、最初に成人の心リズムモニターにおいて使用されてもよく、次に、２回目では睡眠無呼吸用のモニターを構成するように使用されるかもしれない。同じＰＣＢＡ１２０は、小児科の心臓モニターを構成するように、異なる大きさの可撓体１１０と共に追加的あるいは代わりに使用されてもよい。このように、装置１００の少なくとも幾つかの構成部品は、交換可能で再使用可能かもしれない。
【００６６】
有利には、生理学的モニタリング装置１００は、皮膚への長期的な付着を提供するかもしれない。フレキシブルで等角の本体１１０の構成、防水性、剛性のあるハウジング１１５の低姿勢構成、及び２つの間のインタフェースの組み合わせは、患者の皮膚が伸ばされ曲げられるときに引き起こされるストレスを装置１００が補うことを可能にする。その結果、装置１００は、１４−２１日あるいはより多くの間も患者に、取り外すことなく連続的に着用されるかもしれない。ある場合には、装置１００は、より長いあるいは短い期間、着用されるかもしれない。しかし、１４−２１日は、しばしば、患者から心臓リズムデータ及び／又は他の生理学的信号データを集めるための望ましい時間量かもしれない。
【００６７】
様々な代わりの実施形態では、特別な生理学的モニタリング装置の形は、変更してもよい。装置の形状、設置面積、周囲あるいは境界は、例えば、円形、楕円形、三角形、複合曲線など、であってもよい。いくつかの実施形態において、複合曲線は、一もしくは複数の凹曲面及び一もしくは複数の凸曲面を含むかもしれない。複数の凸形状は凹部によって分離されてもよい。凹部は、剛性のあるハウジングにおける凸部と電極における凸部との間にあるかもしれない。いくつかの実施形態において、凹部は、蝶番、蝶番領域、あるいは本体とウィングとの間の厚みが低減された領域と少なくとも部分的に一致するかもしれない。
【００６８】
心臓モニター用の内容で記述したが、ここに記述した装置改善は、そのようなものに制限されない。この出願において述べた改善は、幅広い種類の生理学的なデータモニタリング、記録装置、及び／又は伝送装置のいずれに適用してもよい。改善された付着設計の特微もまた、薬剤の、又はぶどう糖モニターあるいは他の血液検査装置のような血液検査の、電子的に制御された及び／又は時間でリリースされるデリバリーにおいて有用な装置に適用してもよい。このように、ここに記述した部品の記載、特性、及び機能性は、例えば、電子機器、アンテナ、電源あるいは充電の接続部、装置からのダウンロードあるいはオフロード情報用のデータポートあるいは接続部、装置からのオフロードあるいは付加する流動物、電極、プローブあるいはセンサのようなモニタリングあるいは検出エレメント、又は、装置の特別な機能において必要な他のいずれの部品のような、特定用途の特定の部品を含むために、必要とされるように改良されてもよい。追加的に、あるいは代わりに、ここに記述した装置は、次のものに限定しないがＥＣＧ、ＥＥＧ及び／又はＥＭＧの一もしくは複数を含む体によって発生する信号に関連した信号あるいは情報を、検出、記録、あるいは伝送するために使用されてもよい。
【００６９】
上述の複数の実施形態は、単一の生理学的信号を集めるためのデータチャンネルに関する発明を開示しているが、例えば装置動作、装置湾曲（flex）あるいはベッド（bed）、心拍数、及び／又は周囲の電気的ノイズのような付加的データを集めるために、追加のデータチャンネルを含むことができることが考えられる。
【００７０】
生理学的モニタリング装置及びこれを使用するための方法の様々な実施形態は、上に示された。これらの様々な実施形態は、単独であるいは組み合わせにおいて使用されてもよい。そして、実施形態の個々の特徴への様々な変更は、この発明の権利範囲から外れずに変更されてもよい。例えば、様々な方法ステップの順序は、いくつかの実例において変更されてもよく、及び／又は、一もしくは複数の任意の特徴が、記述した装置に追加されあるいは記述した装置から削除されてもよい。したがって、上に提供された実施形態の記載は、請求範囲に記述されるような発明の範囲を過度に制限するように理解されるべきではない。
【００７１】
この開示で記述した実施への様々な変形がなされるかもしれない。そして、ここに規定した一般的な原理は、この開示の精神あるいは権利範囲から外れずに、他の実施に適用されてもよい。よって請求範囲は、ここに示された実施に制限されることを意図せず、ここに開示したこの公表、原理及び新しい特徴と矛盾しないで最も広い権利範囲を与えられることになっている。
【００７２】
別々の実施形態の文脈においてこの明細書に記述された複数の特徴はまた、単一の実施形態において組み合わせて実施することができる。反対に、単一の実施形態の文脈において記述された様々な特徴もまた、多数の実施形態において別々に、あるいはいずれかの適切なサブコンビネーションにおいて実施することができる。さらに、それぞれの特徴は、ある組み合わせにおいて、及び最初にそのように請求されたものにおいて作用するように、上で記述されているかもしれないが、請求された組み合わせからの一もしくは複数の特徴は、ある場合には組み合わせから削除することができ、請求された組み合わせは、サブコンビネーションあるいはサブコンビネーションの変形に向けられてもよい。
【００７３】
同様に、操作は、特別の順序にて図面にて示されているが、そのような操作は、所望の結果を得るために、示された特別の順序あるいは連続する順序において実行される必要はなく、あるいは、すべての図示した操作が実行される必要もない。さらに、図は、フロー図の形態においてもう一つの例示のプロセスを図示してもよい。しかしながら、図示されていない他の操作は、概略的に図示した例示のプロセスに組み込むことができる。例えば、一もしくは複数の追加の操作は、図示したいずれの操作の前に、後に、同時に、あるいは間に、実行することができる。さらに、上に記述した実施形態における様々なシステム部品の分離は、すべての実施形態においてそのような分離を要求するとは解釈されるべきではない。加えて、他の実施形態は以下の請求範囲の権利範囲内にある。ある場合には、請求範囲で規定された動作は、異なる順にて実行可能であり、所望の結果を達成することができる。
【図１Ａ】
2020058819.tif 000003
【図１Ｂ】
2020058819.tif 000004
【図２Ａ】
2020058819.tif 000005
【図２Ｂ】
2020058819.tif 000006
【図３Ａ】
2020058819.tif 000007
【図３Ｂ】
2020058819.tif 000008
【図３Ｃ】
2020058819.tif 000009
【図３Ｄ】
2020058819.tif 000010
【図３Ｅ】
2020058819.tif 000011
【図４】
2020058819.tif 000012
【図５Ａ】
2020058819.tif 000013
【図５Ｂ】
2020058819.tif 000014
【図６Ａ】
2020058819.tif 000015
【図６Ｂ】
2020058819.tif 000016
【図７】
2020058819.tif 000017
【図８Ａ】
2020058819.tif 000018
【図８Ｂ】
2020058819.tif 000019
【図９Ａ】
2020058819.tif 000020
【図９Ｂ】
2020058819.tif 000021
【図９Ｃ】
2020058819.tif 000022
【図９Ｄ】
2020058819.tif 000023
【図９Ｅ】
2020058819.tif 000024
【図９Ｆ】
2020058819.tif 000025
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
哺乳動物における生理学的信号をモニターする電子装置であって、
ハウジングから横に延在する複数のウィングと、ここで柔軟な各ウィングは、哺乳動物の表面に従うように構成され、下部基板層、上部基板層、及び長期接着剤を備えた底面を備え、該長期接着剤は哺乳動物の皮膚に付着するように構成されている、
ハウジング内に収容されたハードウエアプロセッサと、
それぞれの柔軟なウィング内に配置された柔軟な電極と、ここで柔軟な各電極は哺乳動物の動きの間、哺乳動物の皮膚の非平面表面と等角接触を提供するように構成されており、
各上部基板層と各下部基板層との間に位置する電極トレースと、ここで各上部基板層は、対応する下部基板層を超えて水平方向において外側へ延在するリムを備え、該リムは、柔軟なウィングにおける隣接部分よりも垂直面において薄く、柔軟なウィングの哺乳動物の皮膚からのエッジリフトを低減するよう構成されており、
それぞれの電極トレースは、ハウジングから外側に延在し、柔軟な各電極及び各電極トレースの少なくとも一部は哺乳動物の皮膚が曲がる間、皮膚と等角を保持するように構成されている、
を備えた電子装置。
【請求項２】
各電極トレースは、それぞれの対応の柔軟な電極の上部表面の全体に従う、請求項１に記載の電子装置。
【請求項３】
電極トレースは第１材料を備え、柔軟な電極は第２材料を備え、第１材料は第２材料とは異なる、請求項１又は２に記載の電子装置。
【請求項４】
ハウジングは、押し下がりかつ知覚された心臓事象に合わせて実例を記録するように構成された患者トリガーを備える、請求項１から３のいずれかに記載の電子装置。
【請求項５】
患者トリガーの下に位置する支柱をさらに備え、該支柱は、患者トリガーの押し下げの力が曲げモーメントを生成することなくハードウエアプロセッサを通り支柱に伝達されるように、患者トリガーの押し下げの間、剛性を保持するように構成されている、請求項４に記載の電子装置。
【請求項６】
ハウジングは、上部ハウジング部材及び下部ハウジング部材を備え、上部ハウジング部材は下部ハウジング部材に着脱可能に接続されるように構成されている、請求項１から５のいずれかに記載の電子装置。
【請求項７】
上部ハウジング部材と下部ハウジング部材との間に位置する上部ガスケット及び下部ガスケットをさらに備えた、請求項６に記載の電子装置。
【請求項８】
長期接着剤は、親水コロイド接着剤である、請求項１から７のいずれかに記載の電子装置。
【請求項９】
長期接着剤は粘着剤を備える、請求項１から８のいずれかに記載の電子装置。
【請求項１０】
電極トレースは第１材料を備え、柔軟な電極は第２材料を備え、第１材料は第２材料とは異なる、請求項１から９のいずれかに記載の電子装置。
【請求項１１】
ハウジングは、第１フックを備え、該第１フックは第２フックと係合するように構成され、第２フックはバッテリーホルダーに取り付けられ、第１フックは第２フックよりも剛性を有する、請求項１から１０のいずれかに記載の電子装置。
【請求項１２】
リムは、ウィングにおける隣接部分よりも垂直面において薄く、柔軟なウィングの哺乳動物の皮膚からのエッジリフトを低減するよう構成されている、請求項１から１１のいずれかに記載の電子装置。
【外国語明細書】
2020058819000001.pdf